(57)【要約】【課題】  部品点数を少なくし、製造コストの低減を図ることが可能なパネル着脱機構およびこのパネル着脱機構を用いた音響装置を提供すること。【解決手段】  パネル着脱機構１１において、本体部２０，３０と、被係合部７３を具備し、この被係合部７３を介して本体部２０，３０に対する着脱が為される操作パネル７０と、被係合部７３に係合する係合部５４を具備し、該係合部５４の被係合部７３に対する係合が為されることで、操作パネル７０の取り付け状態を維持し、係合部５４の被係合部７３に対する係合が解かれることで、操作パネル７０の取り外しを可能とするロック部材５０と、ロック部材５０の本体部２０，３０の接離方向に向かう摺動をガイドすると共に、係合部５４の記被係合部７３に対する係合状態を解除する向きにロック部材５０を回動させるカム手段４０，５０と、を具備している。【選択図】  図１
2006290006.tif 000002
【特許請求の範囲】
【請求項１】
本体部と、
被係合部を具備し、この被係合部を介して上記本体部に対する着脱が為される操作パネルと、
上記被係合部に係合する係合部を具備し、該係合部の上記被係合部に対する係合が為されることで、上記操作パネルの取り付け状態を維持すると共に、上記係合部の上記被係合部に対する係合が解かれることで、上記操作パネルの取り外しを可能とするロック部材と、
上記ロック部材の本体部の接離方向に向かう摺動をガイドすると共に、上記係合部の上記被係合部に対する係合状態を解除する向きに上記ロック部材を回動させるカム手段と、
を具備することを特徴とするパネル着脱機構。
【請求項２】
前記カム手段は、
前記ロック部材に設けられている突起部と、
前記本体部に対して固定的に設けられていると共に、上記突起部が入り込んで前記ロック部材の前記本体部の接離方向に向かう摺動および前記ロック部材を回動させてロック状態とロック解除状態を切り替えることが可能なカム孔を具備するレバーガイド部材と、
を具備することを特徴とする請求項１記載のパネル着脱機構。
【請求項３】
前記突起部は、
前記本体部に対する接離方向のうち前記本体部から離間する一端側に位置する第１の突起部と、該接離方向のうち前記本体部に向かう他端側に位置する第２の突起部と、を具備し、
前記カム孔は、
前記ロック部材のうち、上記第１の突起部を支点として回動させて、この回動によって、上記第２の突起部を入り込ませ、前記ロック部材をロック状態とするロック部と、上記第１の突起部と上記第２の突起部の両者を入り込ませた状態で、前記ロック部材の前記本体部の接離方向に向かう摺動をガイドする摺動ガイド部と、
を具備することを特徴とする請求項２記載のパネル着脱機構。
【請求項４】
前記ロック部は、前記ロック部材がロック状態にある場合に、前記第１の突起部を中心として円弧状に形成されていることを特徴とする請求項３記載のパネル着脱機構。
【請求項５】
前記摺動ガイド部は、狭幅部と、この狭幅部よりも幅寸法の大きな拡幅部とを具備し、これらのうち上記狭幅部は、前記ロック部材が摺動した場合でも前記第１の突起部のみが位置する長さ寸法に設けられていると共に、前記拡幅部は、前記ロック部材が摺動した場合でも前記第２の突起部のみが位置する長さ寸法に設けられていることを特徴とする請求項３または４記載のパネル着脱機構。
【請求項６】
前記ロック部材は、前記ロック部材をロック状態とする向きに付勢力を与える付勢手段により付勢されていることを特徴とする請求項１から５のいずれか１項に記載のパネル着脱機構。
【請求項７】
請求項１から６のいずれか１項に記載のパネル着脱機構を備えることを特徴とするパネル着脱機構を用いた音響装置。
【発明の詳細な説明】
【技術分野】
【０００１】
本発明は、パネル着脱機構およびこのパネル着脱機構を用いた音響装置に関する。
【背景技術】
【０００２】
カーオーディオといった音響装置の中には、操作パネルが本体部から取り外し可能なタイプがある。このタイプの音響装置では、操作パネルを取り外すことにより、音響装置が使用不可能になると共に、操作パネルを具備しない本体部のみでは商品価値が減じられて、盗難に遭い難くなる、というメリットがある。また、操作パネルが取り外された状態を車の外部から見ても、音響機器が取り付けられているか否か、または作動可能な音響機器が取り付けられているか否か、判別し難くなる。そのため、ユーザが車から離れる場合、音響装置が盗難に遭遇する、といった心配をする必要が低減される。
【０００３】
このようなタイプの音響装置としては、特許文献１に開示されているものがある。この特許文献１に開示されている構成では、操作パネルを脱着自在に構成すると共に、係合凹部および係止用突起の存在により、取り外し作業時に操作パネルの脱落を防止可能としている。
【０００４】
【特許文献１】特開平６−１７６６５２号公報（要約、各図面参照）
【発明の開示】
【発明が解決しようとする課題】
【０００５】
ところで、上述の特許文献１に開示されている構成では、操作パネルをロックするための部品（ロック穴、ロック片等）、操作パネルを押し出すための部品（本体側ソケット等）、操作パネルをロックするためのバネ（段落番号００２２）、操作パネルを押し出すためのバネ（段落番号００２４）、の少なくとも４つ以上の部品が必要となっている。このため、部品点数が多くなり、コストがかかる、という問題が生じている。また、部品点数が多くなると、その分だけ各部品を組み付けるために要する工数も増大し、それによってもコストがかかる状態となっている。
【０００６】
本発明は上記の事情にもとづきなされたもので、その目的とするところは、部品点数を少なくし、製造コストの低減を図ることが可能なパネル着脱機構およびこのパネル着脱機構を用いた音響装置を提供しよう、とするものである。
【課題を解決するための手段】
【０００７】
上記課題を解決するために、本発明は、本体部と、被係合部を具備し、この被係合部を介して本体部に対する着脱が為される操作パネルと、被係合部に係合する係合部を具備し、該係合部の被係合部に対する係合が為されることで、操作パネルの取り付け状態を維持すると共に、係合部の上記被係合部に対する係合が解かれることで、操作パネルの取り外しを可能とするロック部材と、ロック部材の本体部の接離方向に向かう摺動をガイドすると共に、係合部の被係合部に対する係合状態を解除する向きにロック部材を回動させるカム手段と、を具備するものである。
【０００８】
また、他の発明は、上述の発明に加えて更に、カム手段は、ロック部材に設けられている突起部と、本体部に対して固定的に設けられていると共に、突起部が入り込んでロック部材の本体部の接離方向に向かう摺動およびロック部材を回動させてロック状態とロック解除状態を切り替えることが可能なカム孔を具備するレバーガイド部材と、を具備するものである。
【０００９】
さらに、他の発明は、上述の発明に加えて更に、突起部は、本体部に対する接離方向のうち本体部から離間する一端側に位置する第１の突起部と、該接離方向のうち本体部に向かう他端側に位置する第２の突起部と、を具備し、カム孔は、ロック部材のうち、第１の突起部を支点として回動させて、この回動によって、第２の突起部を入り込ませ、ロック部材をロック状態とするロック部と、第１の突起部と第２の突起部の両者を入り込ませた状態で、ロック部材の本体部の接離方向に向かう摺動をガイドする摺動ガイド部と、を具備するものである。
【００１０】
また、他の発明は、上述の発明に加えて更に、ロック部は、ロック部材がロック状態にある場合に、第１の突起部を中心として円弧状に形成されているものである。
【００１１】
さらに、他の発明は、上述の各発明に加えて更に、摺動ガイド部は、狭幅部と、この狭幅部よりも幅寸法の大きな拡幅部とを具備し、これらのうち狭幅部は、ロック部材が摺動した場合でも第１の突起部のみが位置する長さ寸法に設けられていると共に、拡幅部は、ロック部材が摺動した場合でも第２の突起部のみが位置する長さ寸法に設けられているものである。
【００１２】
また、他の発明は、上述の各発明に加えて更に、ロック部材は、ロック部材をロック状態とする向きに付勢力を与える付勢手段により付勢されているものである。
【００１３】
さらに、他の発明は、上述のパネル着脱機構に係る各発明を、音響装置に適用したものである。
【発明の効果】
【００１４】
本発明によると、パネル着脱機構において、部品点数を少なくし、製造コストの低減を図ることが可能となる。
【発明を実施するための最良の形態】
【００１５】
以下、本発明の一実施の形態に係るパネル着脱機構およびこのパネル着脱機構を用いた音響装置について、図１から図７に基づいて説明する。図１は、本発明の一実施の形態に係る音響装置１０のうち、パネル着脱機構１１に係る部分を示す分解斜視図である。また、図２は、ロックレバー５０の形状を示す斜視図である。さらに、図３は、ロックレバー５０の形状を示す側面図である。
【００１６】
なお、以下の説明においては、手前側とは、閉じ状態にある操作パネル７０（図１等参照）が開く側（外部ケース２０から離間する側）を指し、奥側とはこれとは逆の閉じる側を指す。また、奥行き方向とは図１の矢示Ｙ方向を指し、上下方向（縦方向）とは図１の矢示Ｚ方向を指し、横方向とは閉じ状態にある操作パネル７０の長手方向（図１の矢示Ｘ方向）を指す。また、上側とは、図１の矢示Ｚ方向のうち、丸付き数字１に向かう側を指し、上側とは、これとは逆側を指す。
【００１７】
図１に示すように、音響装置１０のパネル着脱機構１１は、外部ケース２０と、サブパネル３０と、ロックレバー５０と、操作パネル７０と、を主要な構成要素としている。
【００１８】
これらのうち、外部ケース２０は、例えば車のインパネ等のような設置部位に対応した大きさを有していて、かかる大きさの内部に音響装置１０の各部材を覆う状態で収納している。この外部ケース２０のうち、手前側の開口部分１２には、該開口部分１２を塞ぐ状態でサブパネル３０が取り付けられる。サブパネル３０は、本体部の一部に対応し、外部ケース２０の天面、底面および側面等に対して略垂直を為す状態で取り付けられている。また、図１に示すように、サブパネル３０は、操作パネル７０と対向する前面３０ａと、操作パネル７０の閉じ状態において該操作パネル７０の側面と対向する側面３０ｂと、を有している。
【００１９】
図１に示すように、サブパネル３０の前面３０ａには、ディスク挿入口３１が設けられていて、該ディスク挿入口３１を介して、外部ケース２０の内部に記録媒体が挿入可能となっている。なお、ディスク挿入口３１は、１つであっても複数設けられていても良い。
【００２０】
また、前面３０ａにはレバー挿通孔３２が設けられている。レバー挿通孔３２は、後述するロックレバー５０を手前側に向かって突出させるための部位である。そのため、レバー挿通孔３２は、上下方向に長く設けられている。また、図４等に示すように、サブパネル３０の裏面側には、掛け止め部３３が設けられている。掛け止め部３３には、付勢手段としてのバネ６０の一端側が掛け止めされている。また、バネ６０の他端側は、後述するロックレバー５０のバネ係止部５５に係止されている。それにより、ロックレバー５０に対して、手前側に向かう付勢力を与えている。
【００２１】
さらに、図１および図３に示すように、サブパネル３０には、一対のレバーガイド部材４０が取り付けられている。レバーガイド部材４０は、レバー挿通孔３２の上下方向における縁部付近に、それぞれ取り付けられている。このレバーガイド部材４０は、カム手段の一部として機能し、ロックレバー５０の奥行き方向の摺動をガイドするものである。
【００２２】
かかる摺動ガイドのために、レバーガイド部材４０には、カム孔４１（図４〜図７参照）が形成されている。カム孔４１は、後述する突起部５３が入り込む部分である。このカム孔４１には、狭幅部４２と、拡幅部４３と、ロック部４４とが設けられている。これらのうち、狭幅部４２は、カム孔４１のうち最も手前側に位置する部分である。かかる狭幅部４２は、突起部５３の入り込みに対応する幅寸法を有している。この狭幅部４２は、奥行き方向（図１における矢示Ｙ方向）に沿うように設けられている。また、本実施の形態では、狭幅部４２は、レバーガイド部材４０のうち、内側（図１における側面３０ｂから見てディスク挿入口３１側）に片寄るように設けられている。
【００２３】
なお、本実施の形態では、狭幅部４２の幅寸法は、突起部５３がさほどガタ付かない程度の大きさに設けられている。また、狭幅部４２の長さ寸法は、２つの突起部５３ａ，５３ｂの間の距離ａよりも、小さくなるように設けられている。それにより、２つの突起部５３ａ，５３ｂが、同時に狭幅部４２に入り込まず、突起部５３ａのみが入り込むことが可能となるように設けられている。また、本実施の形態では、突起部５３ａが第１の突起部に対応すると共に、突起部５３ｂが第２の突起部に対応している。さらに、狭幅部４２と拡幅部４３とにより、摺動ガイド部が構成される。
【００２４】
また、狭幅部４２よりも奥側には、該狭幅部４２に連続するように、拡幅部４３が設けられている。拡幅部４３は、突起部５３ｂの幅方向への摺動を許容する部分である。かかる突起部５３の摺動を許容することにより、ロックレバー５０は、後述するように突起部５３を中心として回動可能に設けられている。
【００２５】
なお、拡幅部４３の幅寸法は、操作パネル７０の取り付けに際して、フック部５４を外側（図２におけるディスク挿入口３１から見て側面３０ｂ側）に回動させることが可能な大きさに設けられている。すなわち、拡幅部４３の幅寸法は、操作パネル７０のサブパネル３０に対する取り付けに際して、フック係止部７２がテーパ面５４ａを押し込んで、フック係止部７２とフック部５４とが干渉しない位置関係にすることを可能とする大きさに形成されている。このとき、ロックレバー５０は、矢示Ａ方向に回動され、フック係止部７２の先端がフック部５４の先端を押しのけ、両者が干渉しない位置関係となる。
【００２６】
また、ロック部４４も、ロックレバー５０を回動させるための部分である。ここで、ロック部４４は、操作パネル７０の閉じ状態において手前側の突起部５３ａが位置する部分を中心とするように形成されている。なお、操作パネル７０の閉じ状態においては、奥側の突起部５３ｂは、ロック部４４の奥側の側縁に接触しており、その状態のときに、突起部５３ａがロック部４４の中心となっている。また、ロック部４４は、外側に向かうにつれて、手前側に向かって進行する。そのため、突起部５３ｂがロック部４４に入り込んだ場合、バネ６０の手前側に向かう付勢力の作用により、ロックレバー５０の手前側に向かうスライドがロックされる。なお、以下の説明では、ロック部４４のうち、外側の端部を、一端部４４ａとする。
【００２７】
また、図２に示すように、ロックレバー５０は、ロック部材およびカム手段の一部に対応し、上下方向に十分な厚み寸法を有する鉤状部材である。このロックレバー５０の厚み寸法は、操作パネル７０に対していずれかの部位にバネ等による付勢力が付与される等した場合でも、操作パネル７０を傾けさせない程度の大きさであれば良い。
【００２８】
図４等に示すように、ロックレバー５０は、その上方から見た場合に、ロックレバー５０の奥側に位置する幅広部５１と、該幅広部５１よりも手前側に位置する幅狭部５２と、を具備している。これらのうち、幅広部５１の上下両面には、それぞれ突起部５３が設けられている。突起部５３は、レバーガイド部材４０のカム孔４１に入り込む部分である。この突起部５３は、幅広部５１の上下両面に、それぞれ２つずつ設けられている。なお、本実施の形態のロックレバー５０は、幅広部５１の上面側と幅広部５１の下面側の投影形状が同一であるため、以下の説明においては、幅広部５１の上面側に関して説明し、必要に応じて幅広部５１の下面側に関しても説明するものとする。
【００２９】
ここで、２つの突起部５３ａ、突起部５３ｂの位置関係について説明する。突起部５３ａは、突起部５３ｂに対して、奥行き方向に距離ａだけ離間していると共に、幅方向に距離ｂだけ離間している。これらのうち、距離ａは、後述する拡幅部４３の奥行き方向における長さ寸法よりも長くなるように設けられている。また、距離ｂは、突起部５３ａが拡幅部４３の内側の側縁４３ａに当接した場合に、フック部５４とフック係止部７２との間の係合が解かれるような寸法に設定されている。
【００３０】
また、幅狭部５２の手前側には、フック部５４が設けられている。フック部５４は、操作パネル７０の閉じ状態を維持するための部分である。このフック部５４には、奥行き方向に対して傾斜しているテーパ面５４ａと、該テーパ面５４ａよりも奥側に位置する係止面５４ｂと、が設けられている。これらのうち、テーパ面５４ａは、奥行き方向に所定の角度だけ傾斜して設けられているが、上下方向には沿うように設けられている。このテーパ面５４ａの傾斜角度は、手前側かつ他端側のロックレバー５０側を向くように設定されている。
【００３１】
なお、本実施の形態では、フック部５４は、係合部に対応する。また、後述する係合部７３は、被係合部に対応する。
【００３２】
また、係止面５４ｂは、奥行き方向に略垂直に設けられている。この係止面５４ｂは、後述するように、操作パネル７０の係合部７３に入り込んで、該係合部７３の当接面７２ａに当接する。それによって、操作パネル７０の開放を阻止する。なお、後述するフック係止部７２が係止面５４ｂと係合する操作パネル７０の閉じ状態にあるとき、フック部５４、幅狭部５２および幅広部５１の間に存在する空間部Ｐ（図１および図２参照）に、フック係止部７２が入り込む。
【００３３】
また、ロックレバー５０の外側（図２におけるディスク挿入口３１から見て側面３０ｂ側）の側面には、バネ係止部５５が設けられている。バネ係止部５５は、バネ６０（図４他参照）の他端側を掛け止めする部分である。そのため、バネ係止部５５は、ロックレバー５０の外側の側面からさらに外方に向かって突出していると共に、所定だけ突出した後に奥側に向かって折れ曲がっている。かかるバネ係止部５５にバネ６０が係止されることにより、ロックレバー５０には、反時計回り（図５における矢示Ａとは逆向き）の付勢力が付与される。
【００３４】
また、操作パネル７０は、そのパネル面７０ａに、各種操作ボタンおよびディスプレイ（共に図示省略）を有している。また、図４〜図７等に示すように、操作パネル７０には、窪み部７１が設けられている。窪み部７１は、操作パネル７０の裏面から手前側に向かうように窪んでいる。しかも、この窪み部７１のうち、図４〜図７等において、操作パネル７０の右側から左側に向かうように、フック係止部７２が設けられている。
【００３５】
ここで、窪み部７１の壁面７１ａとフック係止部７２とで囲まれた部分（以下、この部分を係合部７３とする。）には、操作パネル７０の閉じ状態の際に、フック部５４が入り込むことを可能としている。このとき、ロックレバー５０には、バネ６０により反時計回り（図５における矢示Ａとは逆向き）の付勢力が与えられる。そのため、操作パネル７０の閉じ状態においては、フック部５４の係止面５４ｂがフック係止部７２の当接面７２ａに対して、付勢力が与えられた状態で当接し、ガタ付きが抑えられる状態となる。
【００３６】
なお、本実施の形態では、係合部７３は、ロックレバー５０に対応して、上下方向に長く設けられている。それにより、操作パネル７０に対して、不図示のバネ等の付勢力が与えられたり、振動等による衝撃が生じても、操作パネル７０の下方のみが手前側にスライドして傾くのを防ぐことが可能となる。
【００３７】
また、操作パネル７０の表面には、各種操作ボタンが存在しているが、その中の１つには、図１、図４〜図７等に示すリリーススイッチ７４がある。リリーススイッチ７４は、操作パネル７０のうち、フック部５４を押し込むことが可能な部位に設けられている。リリーススイッチ７４は、奥側に向かうピン部分７４ａを具備している。このピン部分７４ａの先端は、フック部５４のテーパ面５４ａを押し込むことが可能となっている。ピン部分７４ａがテーパ面５４ａを押し込むと、ロックレバー５０の時計回り（図５の矢示Ａ回り）に向かう回動が、バネ６０の付勢力に抗しながら実現され、フック部５４による、操作パネル７０の閉じ状態の維持が解除される。それにより、ユーザが操作パネル７０を把持する等によって、操作パネル７０をサブパネル３０から外すことが可能となる。
【００３８】
なお、操作パネル７０は、例えば１ＤＩＮ、２ＤＩＮのサイズ等、横長のサイズとなっていて、該横長の長手の他端側に、上述のレバーガイド部材４０およびロックレバー５０と同様のレバーガイド部材４０およびロックレバー５０が配置されている。また、サブパネル３０の他端側にも、上述のレバー挿通孔３２と同様のレバー挿通孔３２が形成されている。
【００３９】
以上のような構成を有するパネル着脱機構１１、およびこのパネル着脱機構１１を用いた音響装置１０の動作について、以下に説明する。
【００４０】
図４に示すような、操作パネル７０の閉じ状態において、ユーザがリリーススイッチ７４を、図４の矢示Ｂの向きに向かい押下すると、操作パネル７０の開き動作が開始される。この場合、ピン部分７４ａがテーパ面５４ａに当接し、さらにピン部分７４ａテーパ面５４ａを押し込む。すると、ロックレバー５０は、バネ６０の付勢力に抗しながら、図５において矢示Ａの時計回りに回動させられる。かかる回動が為されると、その回動に伴なって突起部５３ｂがロック部４４の一端部４４ａを押圧している状態が解除され、拡幅部４３に入り込む。このとき、図４に示す状態から、図５に示す状態に変化する。
【００４１】
ここで、突起部５３ｂが拡幅部４３に入り込むと、バネ６０の付勢力により突起部５３ｂがロック部４４の手前側の壁面４４ｂに係止している状態が解除される。この係止状態が解除されると、ロックレバー５０は、バネ６０の付勢力によって、手前側（図６の矢示Ｃの向き）に向かうスライドを開始する。この場合、ロックレバー５０は、狭幅部４２および拡幅部４３に、それぞれ突起部５３ａおよび突起部５３ｂがガイドされる状態で、手前側に向かってスライドする。
【００４２】
なお、図５に示す状態においては、フック部５４の内側の先端部分と、フック係止部７２の外側の先端部分とが、互いに係合した状態となっている。そのため、バネ６０の付勢力により、操作パネル７０は、手前側に向かってスライドさせられる。
【００４３】
そして、スライドが進行すると、図６に示す状態となり、狭幅部４２の手前側の端部４２ａに突起部５３ａが当接する状態となる。この状態においては、ユーザは、操作パネル７０を手で把持しながら、手前側に引く等すれば、フック係止部７２が係止面５４ｂを押す状態となり、ロックレバー５０はさらに時計回り（図５および図７の矢示Ａの向き）に回動しようとする。この場合、拡幅部４３が幅広に設けられていて、突起部５３ｂは拡幅部４３の幅方向に移動可能であるため、その回動によって、係止面５４ｂがフック係止部７２と対向しなくなり、両者の係合状態が解除される。それにより、操作パネル７０を取り外すことが可能となる。
【００４４】
逆に、操作パネル７０を装着する場合、図７に示すように、奥側（矢示Ｄの向き）に向けて操作パネル７０を押し込むように装着する。すると、フック係止部７２の奥側かつ外側の先端部分と、テーパ面５４ａとが干渉し、ロックレバー５０は、矢示Ａの向きに向かって回動する。そして、所定だけ回動すると、フック部５４とフック係止部７２とが干渉しなくなり、操作パネル７０を奥側に向けて押し込むことが可能となる。なお、フック部５４とフック係止部７２とが干渉しなくなる場合、フック係止部７２は空間部Ｐに入り込み、フック部５４は係合部７３に入り込む。
【００４５】
また、操作パネル７０をさらに奥側に向けて押し込むと、壁面７１ａ等の係合部７３の壁面がフック部５４とぶつかり、ロックレバー５０を奥側に向けてスライドさせる。このとき、ロックレバー５０は、狭幅部４２および拡幅部４３に、それぞれ突起部５３ａおよび突起部５３ｂがガイドされる状態で、奥側（図６の矢示Ｃとは逆向き）に向かってスライドされる。
【００４６】
突起部５３ｂが、拡幅部４３の奥側の端部に到達するまで押し込まれると、ロックレバー５０は、バネ６０の付勢力により、反時計回り（図５および図７における矢示Ａとは逆の向き）に向かって回動させられる。この回動は、突起部５３ｂが一端部４４ａに衝突する状態となるまで継続し、該衝突が起きた時点で回動が終了する。それにより、ロックレバー５０は、バネ６０によってロック状態が維持され、係止面５４ｂと当接面７２ａとが係合する状態となる。このとき、操作パネル７０の閉じ状態（収納状態）となる。
【００４７】
このような構成のパネル着脱機構１１、およびこのパネル着脱機構１１を用いた音響装置１０によれば、従来の構成と比較して、部品点数を低減することが可能となる。すなわち、本実施の形態の構成では、ロックレバー５０とレバーガイド部材４０とによって、操作パネル７０の閉じ状態（収納状態）の維持と、操作パネル７０のスライドのガイドとを行えるようにしている。そのため、部品点数が大幅に低減される構成となっており、その分だけコストの低減を図ることが可能となっている。また、部品点数を低減させることにより、各部品を組み付けるために要する工数も低減させることができる。それにより、一層のコスト低減を図ることが可能となる。
【００４８】
また、本実施の形態では、カム手段は、ロック部材５０（突起部５３ａ，５３ｂ）とレバーガイド部材４０（カム孔４１）とによって、構成されている。それにより、少ない部品点数で、操作パネル７０の装着状態と取り外し状態とを切り替えることが可能となる。すなわち、突起部５３ａ，５３ｂとカム孔４１を利用することにより、ロック部材５０を良好に回動させることができ、係合部７３に対するフック部５４の係合状態を解除することが可能となる。
【００４９】
また、本実施の形態では、２つの突起部５３ａ，５３ｂを利用している。それにより、カム孔４１に沿ってロックレバー５０をスライドさせた場合に、該ロックレバー５０を良好に回動させることが可能となる。さらに、カム孔４１は、ロック部４４と、狭幅部４２および拡幅部４３とを備えているため、ロックレバー５０の回動を良好に実現することができる。加えて、ロック部４４は、ロックレバー５０がロック状態にあるときに、突起部５３ａを中心とする円弧状に設けられている。それにより、ロックレバー５０のロック状態とロック解除状態との間の切替に際して、バネ６０の付勢力の影響を小さくすることができ、これらの間の切替をスムーズに行うことが可能となる。
【００５０】
さらに、カム孔４１は、狭幅部４２と、拡幅部４３とを具備し、拡幅部４３の長さ寸法は、突起部５３ｂのみが入り込める長さ寸法に設定されている。このため、突起部５３ｂの拡幅部４３における回動が許容され、操作パネル７０の装着に際して、フック係止部７２によってフック部５４を回動させることができ、操作パネル７０を容易に装着することが可能となる。加えて、狭幅部４２の長さ寸法は、ロックレバー５０が手前側にスライドした場合でも突起部５３ａのみが入り込める長さ寸法に設定されている。それにより、ロックレバー５０のロックを行う回動の中心位置がずれず、回動が良好になる。
【００５１】
また、ロックレバー５０は、バネ６０により、図５等に示す矢示Ａの向きとは逆向きの付勢力が与えられている。それにより、操作パネル７０の装着時においては、ロックレバー５０が時計回り（図５等に示す矢示Ａの向き）に回動されるのを防ぐことができ、操作パネル７０の閉じ状態（収納状態）を良好に維持することができる。
【００５２】
以上、本発明の一実施の形態について説明したが、本発明はこれ以外にも種々変形可能となっている。以下、それについて述べる。
【００５３】
上述の実施の形態では、ロックレバー５０に突起部５３ａ，５３ｂを設けると共に、レバーガイド部材４０にカム孔４１を設けている。しかしながら、これらの間の凹凸関係を逆にしても良い。すなわち、ロックレバー５０に凹状のカム孔（カム溝）を設け、レバーガイド部材４０に凸状の突起部を設けるようにしても良い。同様に、フック部５４と係合部７３との間の凹凸関係を逆にしても良く、ロックレバー５０側に凹状の係合部を設け、操作パネル７０側に凸状のフック部を設けるようにしても良い。
【００５４】
また、上述の実施の形態では、レバーガイド部材４０は、１本のカム孔４１のみを有する構成となっている。しかしながら、レバーガイド部材４０は、突起部５３ａおよび５３ｂのそれぞれに対応させて、２本のカム孔を備えるように構成しても良い。この場合、ロックレバー５０を、より細かく回動させることが可能となる。
【００５５】
さらに、上述の実施の形態では、操作パネル７０を取り外す場合について説明している。しかしながら、操作パネル７０の幅方向の一端側にのみ、ロックレバー５０およびレバーガイド部材４０を配置するようにし、操作パネル７０の幅方向の他端側には、操作パネル７０を倒す方向に回動させるための支持軸のみを設けるようにしても良い。このように構成すれば、操作パネル７０の片押し状態でのスライド動作と、該スライド動作の後に、操作パネル７０を、そのパネル面が隠れる状態で倒す動作を実現可能となる。
【００５６】
また、本実施の形態では、バネ６０を備えているが、別途の棒状部材等の差し込みによりロックレバー５０の回動が規制される場合には、バネ６０を省略する構成を採用しても良い。
【００５７】
また、上述の実施の形態では、本体部の一部として外部ケース２０を用いると共に、操作パネル７０を用いた場合について説明している。しかしながら、本体部としては、例えば外部ケース２０に対して移動するシャーシ部分等を用いても良い。また、操作パネル７０に代えて、該操作パネル７０以外のパネル部材、蓋部材等を用いるようにしても良い。また、緩衝部材を操作パネル７０に取り付けて、該操作パネル７０の増速を防ぐようにしても良い。
【００５８】
また、上述の実施の形態では、パネル着脱機構１１が、音響装置１０に適用された場合について説明している。しかしながら、パネル着脱機構１１が用いられる装置は、音響装置１０には限られない。音響装置１０以外の装置としては、例えば、映像または映像および音楽等の再生を行う、ビデオ再生装置、ＤＶＤ再生装置、カーナビゲーション装置、パーソナルコンピュータ、電話／ファックス等の通信機器等があり、各種の電気機器に適用可能である。
【産業上の利用可能性】
【００５９】
本発明の音響装置およびパネル着脱機構は、自動車用の音響装置関連の分野において利用することができる。また、パネル着脱機構は、各種電気機器の分野において利用することができる。
【図面の簡単な説明】
【００６０】
【図１】本発明の一実施の形態に係る音響装置のパネル着脱機構の構成を示す分解斜視図である。
【図２】図１の音響装置において、ロックレバーの形状を示す斜視図である。
【図３】図１の音響装置において、ロックレバーの形状を示す側面図である。
【図４】図１の音響装置において、ロックレバー、レバーガイド部材および操作パネルの位置関係を示す平面断面図であり、操作パネルの閉じ状態を示す図である。
【図５】図１の音響装置において、ロックレバー、レバーガイド部材および操作パネルの位置関係を示す平面断面図であり、リリーススイッチが押下された状態を示す図である。
【図６】図１の音響装置において、ロックレバー、レバーガイド部材および操作パネルの位置関係を示す平面断面図であり、操作パネルが所定だけ片押しされた状態を示す図である。
【図７】図１の音響装置において、ロックレバー、レバーガイド部材および操作パネルの位置関係を示す平面断面図であり、操作パネルの押し戻しの際にフック部とフック係止部とが係合する状態を示す図である。
【符号の説明】
【００６１】
１０…音響装置
１１…パネル着脱機構
２０…外部ケース（本体部の一部に対応）
３０…サブパネル（本体部の一部に対応）
３２…レバー挿通孔
４０…レバーガイド部材（カム手段の一部に対応）
４１…カム孔
４２…狭幅部（摺動ガイド部の一部に対応）
４３…拡幅部（摺動ガイド部の一部に対応）
４４…ロック部
５０…ロックレバー（ロック部材に対応、カム手段の一部に対応）
５３ａ…突起部（第１の突起部に対応）
５３ｂ…突起部（第２の突起部に対応）
５４…フック部（係合部に対応）
５４ａ…テーパ面
５４ｂ…係止面
６０…バネ（付勢手段に対応）
７０…操作パネル
７１…窪み部
７２…フック係止部
７３…係合部（被係合部に対応）
７４…リリーススイッチ
【図１】
2006290006.tif 000003
【図２】
2006290006.tif 000004
【図３】
2006290006.tif 000005
【図４】
2006290006.tif 000006
【図５】
2006290006.tif 000007
【図６】
2006290006.tif 000008
【図７】
2006290006.tif 000009